(57)【特許請求の範囲】
【請求項１】
４つの側面板と、前記４つの側面板により構成される筒体の各端面を塞ぐ２つの端面板と、を備えて構成される略直方体状の包装箱であって、
ブランクを組み立てることにより構成され、
前記ブランクは、互いに平行に設けられた折曲線を介して連接された前記４つの側面板と、前記４つの側面板の連接方向の一端に前記折曲線に平行な折曲線を介して延設された接続片とを有し、
前記筒体は、前記ブランクを前記折曲線において折り曲げるとともに前記接続片を前記４つの側面板の連接方向の他端の前記側面板に接着し、前記ブランクを立体的に立ち上げることにより構成され、
一の前記側面板の２つの辺の夫々に相当する２つの前記折曲線はいずれも破断線であり、前記破断線の両端は当該一の側面板の角隅部に達しており、前記２つの端面板の夫々は、いずれも当該一の側面板から延設されて当該包装箱が組み立てられた状態で夫々前記筒体の各端面の全体を塞いだ状態となり、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を一の前記端面板と共に前記破断線に沿って捲りあげた際、当該一の側面板に層間剥離を生じさせるように作用し、前記破断線は、前記一の側面板を前記一の端面板と共に前記破断線に沿って捲りあげた際、前記ブランクの厚みの一部を残して切り離されるように強度が設定されており、当該包装箱の解体に際し、前記一の端面板と共に前記一の側面板を前記破断線に沿って捲りあげた際に、前記一の側面板における前記切り込み線と前記破断線との間の領域が層間剥離することによって、前記一の側面板及び前記各端面板が、当該一の側面板に連接する２つの前記側面板から分離し、前記２つの側面板が、前記一の側面板に対向する前記側面板との間の前記折曲線を軸として回動可能な状態となる
ことを特徴とする包装箱。
【請求項２】
４つの側面板と、前記４つの側面板により構成される筒体の各端面を塞ぐ２つの端面板と、前記側面板に延設された一つ以上のフラップと、を備えて構成される略直方体状の包装箱であって、
ブランクを組み立てることにより構成され、
前記ブランクは、互いに平行に設けられた折曲線を介して連接された前記４つの側面板と、前記４つの側面板の連接方向の一端に前記折曲線に平行な折曲線を介して延設された接続片とを有し、
前記筒体は、前記ブランクを前記折曲線において折り曲げるとともに前記接続片を前記４つの側面板の連接方向の他端の前記側面板に接着し、前記ブランクを立体的に立ち上げることにより構成され、
一の前記側面板の２つの辺の夫々に相当する２つの前記折曲線はいずれも破断線であり、前記破断線の両端は当該一の側面板の角隅部に達しており、一方の前記端面は、前記一の側面板から延設される第１の前記端面板により全体が塞がれ、他方の前記端面は、前記一の側面板から延設される第２の前記端面板、及び前記一の側面板に対向する前記側面板から延設される前記フラップにより全体が塞がれ、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を前記第１の端面板と共に前記破断線に沿って捲りあげた際、当該一の側面板に層間剥離を生じさせるように作用し、前記破断線は、前記一の側面板を前記第１の端面板と共に前記破断線に沿って捲りあげた際、前記ブランクの厚みの一部を残して切り離されるように強度が設定されており、当該包装箱の解体に際し、前記第１の端面板と共に前記一の側面板を前記破断線に沿って捲りあげた際に、前記一の側面板における前記切り込み線と前記破断線との間の領域が層間剥離することによって、前記一の側面板、前記第１の端面板、前記第２の端面板、及び前記フラップが、当該一の側面板に連接する２つの前記側面板から分離し、前記２つの側面板が、前記一の側面板に対向する前記側面板との間の前記折曲線を軸として回動可能な状態となる
ことを特徴とする包装箱。
【請求項３】
４つの側面板と、前記４つの側面板により構成される筒体の各端面を塞ぐ２つの端面板と、前記側面板に延設された二つ以上のフラップと、を備えて構成される略直方体状の包装箱であって、
ブランクを組み立てることにより構成され、
前記ブランクは、互いに平行に設けられた折曲線を介して連接された前記４つの側面板と、前記４つの側面板の連接方向の一端に前記折曲線に平行な折曲線を介して延設された接続片とを有し、
前記筒体は、前記ブランクを前記折曲線において折り曲げるとともに前記接続片を前記４つの側面板の連接方向の他端の前記側面板に接着し、前記ブランクを立体的に立ち上げることにより構成され、
一の前記側面板の２つの辺の夫々に相当する２つの前記折曲線はいずれも破断線であり、前記破断線の両端は当該一の側面板の角隅部に達しており、前記各端面の夫々は、前記一の側面板から延設される前記端面板、及び前記一の側面板に対向する前記側面板から延設される前記フラップにより全体が塞がれ、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を一の前記端面板と共に前記破断線に沿って捲りあげた際、当該一の側面板に層間剥離を生じさせるように作用し、前記破断線は、前記一の側面板を前記一の端面板と共に前記破断線に沿って捲りあげた際、前記ブランクの厚みの一部を残して切り離されるように強度が設定されており、当該包装箱の解体に際し、前記一の端面板と共に前記一の側面板を前記破断線に沿って捲りあげた際に、前記一の側面板における前記切り込み線と前記破断線との間の領域が層間剥離することによって、前記一の側面板、前記２つの端面板、及び前記２つのフラップが、当該一の側面板に連接する２つの前記側面板から分離し、前記２つの側面板が、前記一の側面板に対向する前記側面板との間の前記折曲線を軸として回動可能な状態となる
ことを特徴とする包装箱。
【請求項４】
請求項１乃至３のいずれか一項に記載の包装箱であって、
前記切り込み線は、その端部近傍において当該切り込み線に近接する前記破断線の方向に屈曲し、前記切り込み線の先端は、当該切り込み線が設けられている前記側面板の角隅部に達している
ことを特徴とする包装箱。
【請求項５】
請求項１乃至４のいずれか一項に記載の包装箱であって、
前記接続片は、前記破断線及び前記切り込み線が形成された前記側面板に隣接して設けられている
ことを特徴とする包装箱。
【請求項６】
請求項１乃至５のいずれか一項に記載の包装箱であって、
前記破断線は、ミシン目、もしくはつなぎ部分を有する切り込み線である
ことを特徴とする包装箱。
【発明の詳細な説明】
【技術分野】
【０００１】
この発明は、包装箱に関し、とくに包装箱の堅牢性と解体の容易さを確保する技術に関する。
【背景技術】
【０００２】
薬局や医療現場等のように日々相当数の包装箱（薬品包装箱等）が取り扱われる現場においては、大量の包装箱について行われる開封作業や解体作業が大きな負担となっている。そこで従来より、こうした作業を容易にするための様々な方法が提案されている。
【０００３】
例えば、特許文献１には、ラップラウンドケース形の包装用箱等において、上蓋片を開閉する態様で使用された後、容易に解体することができるように、包装箱の底面板に、端辺の両端を起点とする破断線で囲まれた押込部を設け、解体時に押込部を指で押し破り、底板面と側面部を外側に引き出しながら中央部で折り曲げ、正面板と背面板が重なるように折り畳むようにすることが記載されている。
【０００４】
また特許文献２には、開封作業と解体作業をより効率よく行うことができるように、一枚のブランク板を折りたたむことで形成され、連続する複数の側板を折りたたむことで包装対象物の収納空間を形成する容器側部と、容器側部で囲まれた両端の開口に蓋をする２つの蓋部とから形成される包装容器において、ブランク板の状態で容器側部の側面片と連結され、容器側部の一面の表面に貼り付けられる唯一の貼付片を設け、貼付片の裏面に、切断線を境として非接着部と接着部とが分かれ、非接着部が第二側面片と連結されることにより、切断線で貼付片が分離されると、解体されて一枚の平らな状態になるようにすることが記載されている。
【先行技術文献】
【特許文献】
【０００５】
【特許文献１】特開２０１１−１６８２８２号公報
【特許文献２】実用新案登録第３１８６４３３号公報
【発明の概要】
【発明が解決しようとする課題】
【０００６】
ところで、例えば、解体の容易さを優先して包装箱に設ける破断部（ミシン目等）の数を増やすと、製造時や運搬時、使用時等に要求される堅牢性を確保することが難しくなる。また逆に堅牢性や再封性を確保しようとして、例えば、フラップの数を増やすと、接合部が増えて使用後における包装箱の解体の容易性が損なわれてしまう。このように、包装箱は、製造時や運搬時、使用時等に要求される堅牢性と使用後における解体の容易さの双方を両立させることが課題となる。
【０００７】
本発明はこうした背景に鑑みてなされたもので、堅牢性を備えるとともに解体を容易に行うことができる包装箱を提供することを目的としている。
【課題を解決するための手段】
【０００８】
上記目的を達成するための本発明の一つは、４つの側面板と、前記４つの側面板により構成される筒体の各端面を塞ぐ２つの端面板と、を備えて構成される略直方体状の包装箱であって、ブランクを組み立てることにより構成され、前記ブランクは、互いに平行に設けられた折曲線を介して連接された前記４つの側面板と、前記４つの側面板の連接方向の一端に前記折曲線に平行な折曲線を介して延設された接続片とを有し、前記筒体は、前記ブランクを前記折曲線において折り曲げるとともに前記接続片を前記４つの側面板の連接方向の他端の前記側面板に接着し、前記ブランクを立体的に立ち上げることにより構成され、一の前記側面板の２つの辺の夫々に相当する２つの前記折曲線はいずれも破断線であり、前記破断線の両端は当該一の側面板の角隅部に達しており、前記２つの端面板の夫々は、いずれも当該一の側面板から延設されて当該包装箱が組み立てられた状態で夫々前記筒体の各端面の全体を塞いだ状態となり、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を一の前記端面板と共に前記破断線に沿って捲りあげた際、当該一の側面板に層間剥離を生じさせるように作用し、前記破断線は、前記一の側面板を前記一の端面板と共に前記破断線に沿って捲りあげた際、前記ブランクの厚みの一部を残して切り離されるように強度が設定されており、当該包装箱の解体に際し、前記一の端面板と共に前記一の側面板を前記破断線に沿って捲りあげた際に、前記一の側面板における前記切り込み線と前記破断線との間の領域が層間剥離することによって、前記一の側面板及び前記各端面板が、当該一の側面板に連接する２つの前記側面板から分離し、前記２つの側面板が、前記一の側面板に対向する前記側面板との間の前記折曲線を軸として回動可能な状態となる。
また上記目的を達成するための本発明の他の一つは、４つの側面板と、前記４つの側面板により構成される筒体の各端面を塞ぐ２つの端面板と、前記側面板に延設された一つ以上のフラップと、を備えて構成される略直方体状の包装箱であって、ブランクを組み立てることにより構成され、前記ブランクは、互いに平行に設けられた折曲線を介して連接された前記４つの側面板と、前記４つの側面板の連接方向の一端に前記折曲線に平行な折曲線を介して延設された接続片とを有し、前記筒体は、前記ブランクを前記折曲線において折り曲げるとともに前記接続片を前記４つの側面板の連接方向の他端の前記側面板に接着し、前記ブランクを立体的に立ち上げることにより構成され、一の前記側面板の２つの辺の夫々に相当する２つの前記折曲線はいずれも破断線であり、前記破断線の両端は当該一の側面板の角隅部に達しており、一方の前記端面は、前記一の側面板から延設される第１の前記端面板により全体が塞がれ、他方の前記端面は、前記一の側面板から延設される第２の前記端面板、及び前記一の側面板に対向する前記側面板から延設される前記フラップにより全体が塞がれ、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を前記第１の端面板と共に前記破断線に沿って捲りあげた際、当該一の側面板に層間剥離を生じさせるように作用し、前記破断線は、前記一の側面板を前記第１の端面板と共に前記破断線に沿って捲りあげた際、前記ブランクの厚みの一部を残して切り離されるように強度が設定されており、当該包装箱の解体に際し、前記第１の端面板と共に前記一の側面板を前記破断線に沿って捲りあげた際に、前記一の側面板における前記切り込み線と前記破断線との間の領域が層間剥離することによって、前記一の側面板、前記第１の端面板、前記第２の端面板、及び前記フラップが、当該一の側面板に連接する２つの前記側面板から分離し、前記２つの側面板が、前記一の側面板に対向する前記側面板との間の前記折曲線を軸として回動可能な状態となる。
また上記目的を達成するための本発明の他の一つは、４つの側面板と、前記４つの側面板により構成される筒体の各端面を塞ぐ２つの端面板と、前記側面板に延設された二つ以上のフラップと、を備えて構成される略直方体状の包装箱であって、ブランクを組み立てることにより構成され、前記ブランクは、互いに平行に設けられた折曲線を介して連接された前記４つの側面板と、前記４つの側面板の連接方向の一端に前記折曲線に平行な折曲線を介して延設された接続片とを有し、前記筒体は、前記ブランクを前記折曲線において折り曲げるとともに前記接続片を前記４つの側面板の連接方向の他端の前記側面板に接着し、前記ブランクを立体的に立ち上げることにより構成され、一の前記側面板の２つの辺の夫々に相当する２つの前記折曲線はいずれも破断線であり、前記破断線の両端は当該一の側面板の角隅部に達しており、前記各端面の夫々は、前記一の側面板から延設される前記端面板、及び前記一の側面板に対向する前記側面板から延設される前記フラップにより全体が塞がれ、当該一の側面板は、その裏面側に、前記破断線の夫々に沿って夫々に隣接形成された２つの切り込み線を有し、前記２つの切り込み線は、いずれも前記ブランクの厚みの一部を残すように切り込まれており、前記一の側面板を一の前記端面板と共に前記破断線に沿って捲りあげた際、当該一の側面板に層間剥離を生じさせるように作用し、前記破断線は、前記一の側面板を前記一の端面板と共に前記破断線に沿って捲りあげた際、前記ブランクの厚みの一部を残して切り離されるように強度が設定されており、当該包装箱の解体に際し、前記一の端面板と共に前記一の側面板を前記破断線に沿って捲りあげた際に、前記一の側面板における前記切り込み線と前記破断線との間の領域が層間剥離することによって、前記一の側面板、前記２つの端面板、及び前記２つのフラップが、当該一の側面板に連接する２つの前記側面板から分離し、前記２つの側面板が、前記一の側面板に対向する前記側面板との間の前記折曲線を軸として回動可能な状態となる。
【０００９】
このように、本発明の包装箱にあっては、少なくとも何れかの側面板の２つの辺を構成する折曲線をいずれも破断線とし、側面板の裏面側に破断線に沿う２つの切り込み線（例えば、ハーフカット線）を形成している。上記２つの切り込み線は、包装箱の解体に際し、上記破断線及び上記切り込み線が形成された側面板をユーザが上記破断線に沿って捲り上げた際に当該側面板のブランクに層間剥離を誘起させるように作用する。このため、上記破断線はブランクの厚みの一部を残して切り離され、それによりユーザが当該側面板を上記破断線に沿って他の側面板及び接続片から切り離す際に必要とされる力が緩和される。尚、破断線を設けたことで包装箱の堅牢性が低下するが、上記２つの切り込み線によって解体の容易さが向上した分、破断線の強度を高めることができ（強度を高めても解体の容易さを確保することができ）、包装箱の堅牢性を確保することができる。このように、本発明によれば、堅牢性を備えるとともに解体も容易に行うことができる包装箱を提供することができる。
【００１０】
また上記のように、上記側面板が上記破断線に沿って他の側面板及び接続片から切り離されることで、解体後の紙片に弾力を生じさせるような袋状の構造が残留することもない。そのため、本発明の包装箱は解体後の紙片の嵩張りが少なく、廃棄時における保管や運搬等を効率よく行うことができる。
【００１１】
また上記のように、上記側面板が上記破断線に沿って他の側面板及び接続片から切り離されることで、フラップの数が多い場合でも解体の容易性が損なわれることがない。このため、本発明は様々な形態の包装箱に広く適用することができる。
【００１３】
本発明によれば、ユーザは端面板を摘まんで破断線と切り込み線とが形成された上記側面板を破断線に沿って捲り上げるようにすることで、当該側面板を他の側面板又は接続辺から容易に切り離すことができる。
【００１４】
本発明のうちの他の一つは、上記包装箱であって、前記切り込み線は、その端部近傍において当該切り込み線に近接する前記破断線の方向に屈曲し、前記切り込み線の先端は、当該切り込み線が設けられている前記側面板の角隅部に達していることとする。
【００１５】
このように切り込み線の先端は、当該切り込み線が設けられている側面板の角隅部に終止するので、端面板と側面板との間の接続部分の強度に影響を与えることがない。またユーザが側面板を上記破断線に沿って他の側面板及び接続片から切り離そうとした際は、上記角隅部を起点として、当該切り込み線が設けられている側面板にスムーズに層間剥離を誘起させることができる。
【００１６】
本発明のうちの他の一つは、上記包装箱であって、前記接続片は、前記破断線及び前記切り込み線が形成された前記側面板に隣接して設けられていることとする。
【００１７】
本発明のうちの他の一つは、上記包装箱であって、前記破断線は、ミシン目、もしくはつなぎ部分を有する切り込み線であることとする。
【００１８】
その他、本願が開示する課題、及びその解決方法は、発明を実施するための形態の欄、及び図面により明らかにされる。
【発明の効果】
【００１９】
本発明によれば、堅牢性を備えるとともに解体を容易に行うことができる包装箱を提供することができる。
【図面の簡単な説明】
【００２０】
【図１】一実施形態として説明する包装箱１０の開封前の状態（封緘（封函）状態）を示す斜視図である。
【図２】包装箱１０の開封後の状態を示す斜視図である。
【図３】ブランク５を包装箱１０の表面側から眺めた図である。
【図４】ブランク５を包装箱１０の裏面側から眺めた図である。
【図５】包装箱１０の組み立てから廃棄までの流れを説明するフローチャートである。
【図６】包装箱１０を解体している様子を示す図である。
【図７】解体後の包装箱１０の紙片７００を畳んだ状態を示す斜視図である。
【図８】解体後の包装箱１０の紙片７００を複数重ねた状態を示す図である。
【図９】従来例の包装箱の紙片９００を複数重ねた状態を示す図である。
【図１０】４枚３枚構造の包装箱１０のブランク５を包装箱１０の表面側から眺めた図である。
【図１１】４枚３枚構造の包装箱１０のブランク５を包装箱１０の裏面側から眺めた図である。
【図１２】４枚４枚構造の包装箱１０のブランク５を包装箱１０の表面側から眺めた図である。
【図１３】４枚４枚構造の包装箱１０のブランク５を包装箱１０の裏面側から眺めた図である。
【発明を実施するための形態】
【００２１】
以下、本発明の実施の形態につき図面とともに説明する。尚、以下の説明において、同一の又は近似する構成について同一の符号を付して重複した説明を省略することがある。
【００２２】
図１は、本発明の一実施形態として説明する包装箱１０の開封前の状態（封緘（封函）状態）を示す斜視図であり、図２は、包装箱１０の開封後の状態を示す斜視図である。これらの図に示すように、包装箱１０の全体は略直方体状を呈する。
【００２３】
図３は、図１（又は図２）に示した包装箱１０の形成片（以下、「ブランク５」とも称する。）を、包装箱１０の表面側から眺めた図であり、図４は、ブランク５を、包装箱１０の裏面側から眺めた図である。ブランク５は、例えば、厚紙や板紙等のブランクシートを打ち抜くことにより形成される。図３及び図４において、破線は山折線を、一点鎖線は谷折線を、点線は破断線（ミシン目、もしくはつなぎ部分を有する切り込み線）等）を、実線（ブランク５の輪郭となる部分を除く）はブランク５の厚みの一部を残して切り込んだ（厚さ方向に所定深さまで切り込んだ）切り込み線（例えば、ハーフカット線）を、夫々示す。尚、後述するように、破断線は、山折線としても機能することがある。
【００２４】
図３に示すように、ブランク５は、夫々の長尺辺が互いに平行になるように連接された４つの側面板（第１側面板１１、正面板１２、第２側面板１３、及び背面板１４）、上記４つの側面板の連接方向の一端に延設された接続片１７（グルーフラップ）、背面板１４の上記連接方向に対して直角方向の一方の短尺辺に延設された第１端面板１５（天面板）、及び背面板１４の上記連接方向に対して直角方向の他方の短尺辺に延設された第２端面板１６（底面板）を有する。第１側面板１１、正面板１２、第２側面板１３、背面板１４、及び接続片１７は、夫々の長尺辺を境界としてこの順に連接され、包装箱１０の内容物が収納される角筒状の筒体が形成される。上記筒体の形成に際し、接続片１７はその表面側に接着剤（ホットメルト等）を塗布して第１側面板１１の裏面側に接着される。
【００２５】
正面板１２と背面板１４は同形状（略長方形状）であり、これらは前述した筒体において対面する一対の側面を構成する。また第１側面板１１と第２側面板１３は同形状（略長方形状）であり、これらは前述した筒体において対面する一対の側面を構成する。第１端面板１５及び第２端面板１６は、夫々、４つの側面板で構成される包装箱１０の、前述した筒体の対面する２つの端面を塞ぐように機能する。尚、本例では、正面板１２（又は背面板１４）の面積が、第１側面板１１（又は第２側面板１３）の面積よりも広くなっているが、これらの面積比は必ずしも同図に示す態様に限られない。また各側面板の長尺辺と短尺辺の関係（いずれの辺を長尺辺又は短尺辺とするか）についても同図に示す態様に限られない。
【００２６】
同図に示すように、第１側面板１１と正面板１２との境界には山折線３１が、正面板１２と第２側面板１３との境界には山折線３２が、夫々形成されている。また第２側面板１３と背面板１４との境界には破断線４１が、背面板１４と接続片１７との境界には破断線４２が、夫々形成されている。山折線３１、山折線３２、破断線４１、及び破断線４２はいずれも互いに平行である。尚、破断線４１及び破断線４２は、前述した筒体を立ち上げる際に山折線としても機能する。
【００２７】
破断線４１の強度は破断線４２の強度よりも高く設定されている。これはカートニングマシン（製函機）等を用いて行われる、包装箱１０の製造時の折り曲げ工程（ブランク５を前述した筒体の状態に立ち上げる際にブランク５の折曲線（山折線（折曲線として機能する破断線を含む）、谷折線）に折りグセを付ける工程）において、破断線４１及び破断線４２のつなぎ部分に作用する応力を考慮したものである。即ち、上記工程において、接続片１７については背面板１４に対して９０゜まで折り曲げられるが、背面板１４については第２側面板１３に対して１８０゜まで折り曲げられ、上記工程において破断線４１が折り曲げられる角度は破断線４２に比べて大きく、破断線４１の方が破断線４２よりも高い強度を要求されるからである。尚、破断線４１及び破断線４２がいずれもミシン目である場合、上記強度は、例えば、つなぎ部分の全体の長さとそれ以外の部分（切り込まれた部分）の長さとの比を変えることにより調節することができる。上記工程における折り曲げ角（９０゜、１８０゜）は一例であり、折り曲げ角は、包装箱１０の生産効率向上等の観点から適切な値に設定される。
【００２８】
同図に示すように、第１側面板１１の、前述した筒体が形成された状態で第１端面板１５が存在する側には、山折線６１を介してフラップ１１１が、また第１側面板１１の、前述した筒体が形成された状態で第２端面板１６が存在する側には、山折線６２を介してフラップ１１２が、夫々延設されている。また第２側面板１３の、前述した筒体が形成された状態で第１端面板１５が存在する側には、山折線６３を介してフラップ１３１が、また第２側面板１３の、前述した筒体が形成された状態で第２端面板１６が存在する側には、山折線６４を介してフラップ１３２が、夫々延設されている。
【００２９】
背面板１４と第１端面板１５との境界には、山折線３５が形成されている。また第１端面板１５の、背面板１４が連接する側と対向する側には、山折線３６を介してタック１５１が延設されている。背面板１４と第２端面板１６との境界には、山折線３７が形成されている。第２端面板１６の、背面板１４が連接する側と対向する側には、山折線３８を介してタック１６１が延設されている。
【００３０】
図４に示すように、背面板１４の裏面側には、ブランク５の厚みの一部を残して切り込んだ２つの切り込み線（切り込み線５１及び切り込み線５２）が形成されている。
【００３１】
このうち切り込み線５１は、破断線４１に隣接して当該破断線４１に沿って平行に（その両端部近傍を除く）形成されている。切り込み線５１は、包装箱１０の強度の低下を防ぐため、その両端部近傍を除き破断線４１から所定距離離間させて設けている。同図に示すように、切り込み線５１は、その両端部近傍において約４５゜の角度で背面板１４の長尺辺の方向（破断線４１の方向）に屈曲しており、その先端はいずれも背面板１４の角隅部に達している。
【００３２】
また切り込み線５２は、破断線４２に隣接して当該破断線４２に沿って平行に（その両端部近傍を除く）形成されている。切り込み線５２は、包装箱１０の強度の低下を防ぐため、その両端部近傍を除き破断線４２から所定距離離間させて設けている。同図に示すように、切り込み線５２は、その両端部近傍において約４５゜の角度で背面板１４の長尺辺の方向（破断線４２の方向）に屈曲しており、その先端はいずれも背面板１４の角隅部に達している。
【００３３】
＜包装箱の製造から廃棄までの流れ＞
続いて、図５に示すフローチャートとともに、包装箱１０の製造から廃棄（組み立て→箱詰め→封緘（封函）→開封→再封→解体→廃棄）までの流れについて説明する。
【００３４】
包装箱１０の組み立てに際しては、まずカートニングマシン（製函機）等を用い、ブランク５の４つの側面板（第１側面板１１、正面板１２、第２側面板１３、及び背面板１４）と接続片１７を、山折線３１、山折線３２、山折線３３、破断線４１、及び破断線４２に沿って折り曲げる（本工程は前述した折り曲げ工程に相当する。）（Ｓ５１１）。
【００３５】
続いて、接続片１７の表面に接着剤（ホットメルト等）を塗布し、接続片１７の表面を第１側面板１１の裏面に接着する（Ｓ５１２）。尚、例えば、包装箱１０の製造業者は、輸送（運送）効率のよいこの状態で包装箱１０を内容物の製造業者に引き渡す。
【００３６】
続いて、カートニングマシン（製函機）等を用いてブランク５を立体的に立ち上げることにより、前述した筒体を形成する（Ｓ５１３）。
【００３７】
続いて、筒体に包装箱１０の内容物を箱詰めし（Ｓ５１４）、包装箱１０を封緘（封函）する（Ｓ５１５）。
【００３８】
その後、包装箱１０は、流通経路等を経てユーザの手にわたる。ユーザは、包装箱１０に開封作業を行って内容物を取り出す（Ｓ５１６）。包装箱１０は、残りの内容物の保管等のために再封される場合もある（Ｓ５１７）。使用後、包装箱１０は解体され（Ｓ５１８）廃棄される（Ｓ５１９）。
【００３９】
＜解体手順＞
続いて、包装箱１０の解体手順について具体的に説明する。
【００４０】
包装箱１０の解体に際しては、まず図６に示すように、ユーザは第１端面板１５を指で摘まんで背面板１４を捲り上げ、背面板１４を包装箱１０から引き剥がすようにする。これにより背面板１４が、第１側面板１１、第２側面板１３、及び接続片１７から切り離される。尚、前述したように、２つの切り込み線（切り込み線５１及び切り込み線５２）は、いずれもブランク５の厚みの一部を残して切り込まれており、上記２つの切り込み線は、ユーザが背面板１４を捲り上げた際、当該背面板１４に層間剥離を誘起させるように作用する。具体的には、上記捲り上げによって、背面板１４の、破断線４１と切り込み線５１とで囲まれた台形領域６１１、及び破断線４２と切り込み線５２とで囲まれた台形領域６１２に、夫々層間剥離が生じる。これにより破断線４１及び破断線４２は、ブランク５の厚みの一部を残して切り離され、それによりユーザが背面板１４を、第１側面板１１、第２側面板１３、及び接続片１７から切り離す際に必要とされる力が緩和され、ユーザは手を痛めることなく容易に包装箱１０を解体することができる。
【００４１】
尚、破断線４１及び破断線４２を設けたことにより包装箱１０の堅牢性は低下するが、上記２つの切り込み線（切り込み線５１及び切り込み線５２）を設けたことにより包装箱１０の解体の容易さが向上した分、破断線４１及び破断線４２の強度を高めることができ（強度を高めても解体の容易さを確保することができ）、包装箱１０の堅牢性を確保することができる。
【００４２】
前述したように、切り込み線５１は、その両端部近傍において約４５゜の角度で背面板１４の長尺辺の方向（破断線４１の方向）に折れ曲がり、その先端はいずれも背面板１４の角隅部に達している。また切り込み線５２は、その両端部近傍において約４５゜の角度で背面板１４の長尺辺の方向（破断線４２の方向）に折れ曲がり、その先端はいずれも背面板１４の角隅部に達している。切り込み線５１及び切り込み線５２の両端部をこのような形態としていることで、包装箱１０に要求される、端面板（第１端面板１５又は第２端面板１６）と背面板１４との間の接続（連結）強度を確保することができる。また切り込み線５１及び切り込み線５２の両端部をこのような形態としていることで、包装箱１０の解体に際してユーザが背面板１４を捲り上げた際、背面板１４に前述した層間剥離をスムーズに誘起させることができる。
【００４３】
図７に、解体後の包装箱１０（以下、紙片７００とも称する。）を畳んだ状態を示している。このように解体後の包装箱１０は、ほぼ扁平な状態に畳むことができる。尚、上記のように、背面板１４が、上記破断線４１及び破断線４２において、第１側面板１１、第２側面板１３、及び接続片１７から切り離されることで、例えば、解体後の包装箱１０の紙片７００には嵩張りを生じさせるような袋状の構造が残留することもない。
【００４４】
図８に、解体後の包装箱１０の紙片７００を複数重ねた状態を、図９に、解体後の紙片に袋状の構造が残留する従来例の包装箱の紙片９００を複数重ねた状態を示す。これらの図に示すように、本実施形態の包装箱１０は、紙片７００を複数重ねた場合に従来例に比べて高さ方向の嵩張りが少なく、従来例に比べて解体後の紙片７００の保管効率（廃棄物管理スペースの収納効率等）や紙片７００の運搬効率（廃棄場所への運搬効率等）に優れる。
【００４５】
ところで、以上に説明した包装箱１０は、前述した筒体の端面の夫々に３つのフラップを有する構造（以下、３枚３枚構造と称する。）であった。即ち、以上に説明した包装箱１０は、前述した筒体の第１端面板１５が存在する側の端面に、フラップ１１１、フラップ１３１、及び第１端面板１５（ここでは端面板もフラップとして捉える。以下の説明において同様。）の３つのフラップを、前述した筒体の第２端面板１６が存在する側の端面に、フラップ１１２、フラップ１３２、及び第２端面板１６の３つのフラップを有する構造であった。
【００４６】
しかし前述したように、本実施形態の包装箱１０は、解体に際し、背面板１４が、上記破断線４１及び破断線４２に沿って第１側面板１１、第２側面板１３、及び接続片１７から確実に切り離されるため、解体の容易さは包装箱１０に設けられているフラップの数には影響されない。従って、例えば、同様の構造を、前述した筒体の２つの端面のうち、一方の端面に４つのフラップを、他方の端面に３つのフラップを、夫々有する包装箱（以下、４枚３枚構造と称する。）や、前述した筒体の端面の夫々に４つのフラップを有する包装箱（以下、４枚４枚構造と称する。）に適用した場合も、前述した３枚３枚構造の包装箱１０の場合と同様の効果を享受することができる。
【００４７】
図１０及び図１１に、４枚３枚構造の包装箱１０の一例を示す。図１０は、包装箱１０のブランク５を包装箱１０の表面側から眺めた図であり、図１１は、包装箱１０のブランク５を包装箱１０の裏面側から眺めた図である。これらの図に示すように、この包装箱１０は、一方の端面に４つのフラップ（フラップ１１１、フラップ１２１、フラップ１３１、及び第１端子板１５）を、他方の端面に３つのフラップ（フラップ１１２、フラップ１３２、及び第２端子板１６）を、夫々有する。
【００４８】
図１２及び図１３に４枚４枚構造の包装箱１０の一例を示す。図１２は、包装箱１０のブランク５を包装箱１０の表面側から眺めた図であり、図１３は、包装箱１０のブランク５を包装箱１０の裏面側から眺めた図である。これらの図に示すように、この包装箱１０は、一方の端面に４つのフラップ（フラップ１１１、フラップ１２１、フラップ１３１、及び第１端子板１５）を、他方の端面に４つのフラップ（フラップ１１２、フラップ１２２、フラップ１３２、及び第２端子板１６）を、夫々有する。
【００４９】
尚、以上の説明は、本発明の理解を容易にするためのものであり、本発明を限定するものではない。本発明は、その趣旨を逸脱することなく、変更、改良され得ると共に、本発明にはその等価物が含まれる。例えば、本実施形態では背面板１４の２つの辺に破断線４１，４２及び切り込み線５１，５２を形成しているが、破断線及び切り込み線は、他の側面板（第１側面板１１、正面板１２、及び第２側面板１３のうちの少なくともいずれか）に形成してもよい。
【符号の説明】
【００５０】
５  ブランク、１０  包装箱、１１  第１側面板、１１１，１１２  フラップ、１２  正面板、１３  第２側面板、１３１，１３２  フラップ、１４  背面板、１５  第１端面板、１５１  タック、１６  第２端面板、１６１  タック、１７  接続片、３１，３２  山折線、３５〜３８  山折線、４１，４２  破断線、５１，５２  切り込み線、６１〜６４  山折線
【図１】
0006757557.tif 000002
【図２】
0006757557.tif 000003
【図３】
0006757557.tif 000004
【図４】
0006757557.tif 000005
【図５】
0006757557.tif 000006
【図６】
0006757557.tif 000007
【図７】
0006757557.tif 000008
【図８】
0006757557.tif 000009
【図９】
0006757557.tif 000010
【図１０】
0006757557.tif 000011
【図１１】
0006757557.tif 000012
【図１２】
0006757557.tif 000013
【図１３】
0006757557.tif 000014